(57)【要約】【課題】スイングチェックを行う。【解決手段】シャフト１０の一端と他端にウェイト３０とグリップ４０を備えるゴルフのスイング練習具１であって、ウェイト３０に装着されたスイング確認装置２０が、アドレス姿勢を取ったプレイヤーから見て、プレイヤーの正面側にウェイト３０が位置するときに点灯する第１の発光素子２６と、プレイヤーがトップ姿勢を取ったときに点灯する第２の発光素子２７と、第１の発光素子２６と第２の発光素子２７との間での点灯／消灯の切り替えを行う切替機構６０と、を有し、第１の発光素子２６は、プレイヤーから見て、ウェイト３０側に設定された仮想のフェース面を示す位置に設けられており、第１の発光素子２６と第２の発光素子２７の光軸は、プレイヤーを指向しており、切替機構６０は、プレイヤーがトップ姿勢を取ったときに、第１の発光素子２６を消灯して、第２の発光素子２７を点灯させる構成とした。【選択図】図１
2018114032.tif 000002
【特許請求の範囲】
【請求項１】
シャフトの一端にウェイト部を備え、他端にグリップ部を備えるゴルフのスイング練習具であって、
前記ウェイト部に装着されたスイング確認装置が、
前記グリップ部を把持してゴルフスイングのアドレス姿勢を取ったユーザから見て、前記ウェイト部が前記ユーザの正面側に位置するときに点灯する第１の発光素子と、
前記ユーザがトップ姿勢を取ったときに点灯する第２の発光素子と、
前記第１の発光素子と前記第２の発光素子との間での点灯／消灯の切り替えを行う切替機構と、を有し、
前記第１の発光素子は、前記ユーザから見て、前記ウェイト部側に設定された仮想のフェース面を示す位置に設けられており、
前記第１の発光素子と前記第２の発光素子の光軸は、前記ユーザを指向しており、
前記切替機構は、前記ユーザが前記トップ姿勢を取ったときに、前記第１の発光素子を消灯して、前記第２の発光素子を点灯させることを特徴とするゴルフのスイング練習具。
【請求項２】
前記第１の発光素子は、前記仮想のフェース面に沿って複数並んでいることを特徴とする請求項１に記載のゴルフのスイング練習具。
【請求項３】
前記第１の発光素子の発光色と、前記第２の発光素子の発光色とは、異なる色としたことを特徴とする請求項１または請求項２に記載のゴルフのスイング練習具。
【請求項４】
前記切替機構は、電源の接続先を、前記第１の発光素子と前記第２の発光素子との間で切り替えるスイッチであり、
前記スイッチは、
絶縁材料からなる筒状部材と、
前記筒状部材の内側に固定されると共に、前記電源に接続された筒状の固定端子と、
前記筒状の固定端子の内部で、当該固定端子の中心軸線方向に摺動移動可能に設けられていると共に、前記筒状の固定端子の一端と他端から出没可能とされた可動端子と、
前記第１の発光素子に接続されていると共に、前記筒状部材の内部で、前記筒状の固定端子の一端に対向配置された第１の固定端子と、
前記第２の発光素子に接続されていると共に、前記筒状部材の内部で、前記筒状の固定端子の他端に対向配置された第２の固定端子と、を有し、
前記スイング確認装置において前記スイッチは、前記ユーザが前記トップ姿勢を取ったときに、前記可動端子が、前記筒状の固定端子の他端から突出して前記筒状の固定端子と前記第２の固定端子とを接続する向きで設けられていることを特徴とする請求項１から請求項３の何れか一項に記載のゴルフのスイング練習具。
【請求項５】
前記筒状の固定端子は、前記中心軸線方向から見て楕円形状を成しており、
前記可動端子は、前記楕円形状の短辺部の長さよりも僅かに小さい外径を持つ円柱形状を成していることを特徴とする請求項４に記載のゴルフのスイング練習具。
【請求項６】
前記スイング確認装置は、
前記ユーザを指向した第３の発光素子と、
前記第３の発光素子を前記ユーザから遮蔽する遮蔽板と、を有しており、
前記遮蔽板には、前記ユーザがアドレス姿勢を取ったときに、前記第３の発光素子を前記ユーザに視認可能とする窓孔が設けられていることを特徴とする請求項１から請求項５の何れか一項に記載のゴルフのスイング練習具。
【請求項７】
前記窓孔は、前記ユーザがトップ姿勢を取った際も、前記第３の発光素子を前記ユーザに視認可能とするように設けられていることを特徴とする請求項６に記載のゴルフのスイング練習具。
【請求項８】
反射面を有する反射板を、さらに備え、
前記反射板は、前記反射面を、前記仮想のフェース面に沿う方向と直交する向きであって、前記第１の発光素子と前記第２の発光素子から出射された光を、前記ユーザを指向する方向に反射可能な位置に設けられていることを特徴とする請求項１から請求項７の何れか一項に記載のゴルフのスイング練習具。
【請求項９】
前記ユーザを指向した第４の発光素子を備える他のスイング確認装置が、前記グリップ部に設けられており、
前記グリップ部に設けられた前記他のスイング確認装置では、前記第４の発光素子が、前記シャフトの中心線上に位置していることを特徴とする請求項１から請求項８の何れか一項に記載のゴルフのスイング練習具。
【発明の詳細な説明】
【技術分野】
【０００１】
本発明は、ゴルフのスイング練習具に関する。
【背景技術】
【０００２】
従来、ゴルフの上達を目的として、ゴルフクラブのスイングを練習するためのスイング練習具が提供されている。
これらスイング練習具は、正しいスイングを身につけることを目的として提供されており、スイングの基本を頭の中で感覚的に描きながらスイングの練習を行うものが大半である。
例えば、特許文献１には、ゴルフクラブのシャフトのヘッド側とグリップ側のそれぞれにレーザポインタを設け、スイング動作におけるゴルフクラブの軌道を、それぞれのポインタから出射されたレーザ光の地面を照らす軌跡を見ることで、チェックすることができるゴルフのスイング練習具が開示されている。
【先行技術文献】
【特許文献】
【０００３】
【特許文献１】特開２０１５−１９６０２８号公報
【発明の概要】
【発明が解決しようとする課題】
【０００４】
しかし、特許文献１に開示されたゴルフのスイング練習具では、プレイヤーは、レーザポインタから出射されたレーザ光の照らす軌跡を見ることに意識を集中してしまうため、肝心の正しいスイング動作を行うことへの意識の集中がおろそかになってしまう。
そこで、プレイヤーのスイング操作に対する集中をおろそかにすることなく、スイングチェックを行えるようにすることが求められている。
【課題を解決するための手段】
【０００５】
本発明は、シャフトの一端にウェイト部を備え、他端にグリップ部を備えるゴルフのスイング練習具であって、
ウェイト部に装着されたスイング確認装置が、グリップ部を把持してゴルフスイングのアドレス姿勢を取ったユーザから見て、ユーザの正面側にウェイト部が位置するときに点灯する第１の発光素子と、ユーザがトップ姿勢を取ったときに点灯する第２の発光素子と、第１の発光素子と第２の発光素子との間での点灯／消灯の切り替えを行う切替機構と、を有し、
第１の発光素子は、ユーザから見て、ウェイト部側に設定された仮想のフェース面を示す位置に設けられており、第１の発光素子と第２の発光素子の光軸は、ユーザを指向しており、切替機構は、ユーザがトップ姿勢を取ったときに、第１の発光素子を消灯して、第２の発光素子を点灯させることを特徴とするゴルフのスイング練習具とした。
【発明の効果】
【０００６】
本発明では、ユーザがトップ姿勢を取ったときに第２の発光素子が点灯する。そのため、ユーザはアドレス姿勢からトップ姿勢に姿勢を変更する過程で、ウェイト部側に視線を向けることで、トップ姿勢への到達を視覚的に直感できる。
また、トップ姿勢からダウンスイングを行うと、インパクト姿勢までの間に第２の発光素子が消灯して第１の発光素子が点灯する。そのため、第１の発光素子が点灯状態でユーザの正面を通過する。この際に、第１の発光素子がユーザを指向しているので、ユーザの正面を通過した第１の発光素子の残像を、ユーザは捉えることができる。よって、ユーザは、第１の発光素子の残像に基づいて、フェース面の軌跡を確認できる。
特に、ゴルフスイングの過程でのフェース面の軌跡を、ユーザは、第１の発光素子が発光する光を目で追うことなく、第１の発光素子が発光する光の残像により確認できる。
よって、プレイヤーは、ゴルフスイング操作に対する集中をおろそかにすることなく、スイングチェックを行うことができる。
【図面の簡単な説明】
【０００７】
【図１】実施の形態にかかるゴルフのスイング練習具を説明する図である。
【図２】実施の形態にかかるゴルフのスイング練習具を説明する図である。
【図３】実施の形態にかかるスイング確認装置の取付け状態を説明する図である。
【図４】実施の形態にかかるスイング確認装置を説明する図である。
【図５】実施の形態にかかるスイング確認装置を説明する断面図である。
【図６】実施の形態にかかるスイング確認装置の分解斜視図である。
【図７】実施の形態にかかる切替機構を説明する図である。
【図８】実施の形態にかかる切替機構の動作を説明する図である。
【図９】第２のスイング確認装置を説明する図である。
【図１０】インパクト前後での、発光素子の作用を説明する図である。
【図１１】実施の形態にかかるゴルフのスイング練習具の使い方を説明する図である。
【発明を実施するための形態】
【０００８】
図１は、実施の形態にかかるゴルフのスイング練習具１を説明する図であり、（ａ）は、シャフト１０を軸線Ｘ方向に伸ばした状態を示し、（ｂ）は、シャフト１０を軸線Ｘ方向に縮めた状態を示している。
図２は、ゴルフのスイング練習具１を説明する図であり、（ａ）は、ゴルフのスイング練習具１の分解斜視図であり、（ｂ）は、保持部材７０の拡大図であり、（ｃ）は、（ａ）における軸線Ｘ方向から見た領域Ａの拡大図である。
【０００９】
［スイング練習具］
図１および図２に示すように、ゴルフのスイング練習具（以下、スイング練習具１と表記する）は、シャフト１０の軸線Ｘ方向の一端にウェイト３０、他端にグリップ４０が設けられている。
以下の説明では、必要に応じてウェイト３０側を前方、グリップ４０側を後方として説明する。
【００１０】
図２の（ａ）に示すように、シャフト１０は、第１シャフト１１と、第２シャフト１２とを有している。
第１シャフト１１と第２シャフト１２は、それぞれ金属製（例えば、ステンレス材）で中空の棒形状を成している。第２シャフト１２の外径は、第１シャフト１１の内径よりも小径となっている。
【００１１】
第２シャフト１２は、第１シャフト１１内にスライド可能に収容されていて、第１シャフト１１の前端から前方に延びており、第２シャフト１２を第１シャフト１１の前方にスライドさせて引き出すと、シャフト１０が伸びた状態となり（図１の（ａ）で示す状態）、第２シャフト１２を第１シャフト１１の後方にスライドさせて押し縮めると、シャフト１０が縮んだ状態となる（図１の（ｂ）で示す状態）。
【００１２】
グリップ４０は、合成ゴムまたは樹脂製で円筒形状を成している。このグリップ４０の前方は小径で後方に進むほど大径となっている。
【００１３】
グリップ４０の内径は、第１シャフト１１の外径と整合し、グリップ４０は、第１シャフト１１の後方から外挿して取り付けられる。
【００１４】
図２の（ａ）に示すように、グリップ４０の後方端部には、このグリップ４０を第１シャフト１１に外挿する際に、グリップ４０と第１シャフト１１との間に存在する空気を逃がすための貫通孔４２１が後方端部を厚み方向に貫通して形成されている。
【００１５】
シャフト１０において、グリップ４０と反対側の端部（前方端部）には、ウェイト３０が設けられている。
ウェイト３０は金属製で、円筒形状を成している。ウェイト３０の後方端部側（第２シャフト１２側）には、このウェイト３０を厚み方向に貫通する貫通孔３１が形成されている。
【００１６】
この貫通孔３１には、ネジ９０が挿入されるようになっており、この貫通孔３１に挿入されたネジ９０により、ウェイト３０と、このウェイト３０に内嵌した第２シャフト１２とが固定される。
【００１７】
ウェイト３０には、スイング確認装置２０が着脱可能に設けられている。
【００１８】
［スイング確認装置］
次に、スイング確認装置２０を説明する。
図３は、ウェイト３０に対するスイング確認装置２０の取り付け状態を説明する図であり、（ａ）は、スイング確認装置２０の平面図であり、（ｂ）は、スイング確認装置２０の左側面図であり、（ｃ）は、スイング確認装置２０の正面図であり、（ｄ）は、スイング確認装置２０の背面図である。
図４は、スイング確認装置２０を説明する図であり、（ａ）は、ウェイト３０に対するスイング確認装置２０の取り付け状態を説明する右側面図であり、（ｂ）は、（ａ）における領域Ａの拡大図であり、蓋部材２０１の開閉を説明する図である。
なお、図３および図４の（ａ）では、ウェイト３０、保持部材７０、固定プレート８０、固定バンド８５を仮想線で示すと共に、図４の（ｂ）では、閉じた状態の蓋部材２０１を仮想線で示している。
図５は、スイング確認装置２０を説明する断面図であり、（ａ）は、図３の（ａ）におけるＡ−Ａ断面図であり、（ｂ）は、（ａ）におけるＢ−Ｂ断面図であり、（ｃ）は、（ａ）におけるＣ−Ｃ断面図であり、（ｄ）は、前方側から見たスイング確認装置２０の斜視図である。
図６は、スイング確認装置２０の分解斜視図であり、スイング確認装置２０内に設けられている切替機構６０を仮想線で示している。
【００１９】
図６に示すように、スイング確認装置２０は、装置本体２１と、第１フレーム２２と、第２フレーム２３と、仮想ヘッド部２４（遮蔽板）と、反射板１００とを有して構成されている。
【００２０】
図５の（ａ）〜（ｃ）に示すように、この装置本体２１は、金属製の板状部材を折り曲げて形成されており、矩形形状を成す上壁２１ａと、この上壁２１ａの各々の辺に接続された４つの側壁２１ｂ１、２１ｂ２、２１ｂ３、２１ｂ４とを有している。装置本体２１は、この各側壁２１ｂ１〜２１ｂ４を、上壁２１ａの各辺で同一方向に９０°折り曲げて箱形状に形成されている。
実施の形態では、側壁２１ｂ１と側壁２１ｂ２（図５の（ｂ）および（ｃ）参照）は、軸線Ｘ方向の前方側と後方側に配設され、側壁２１ｂ３と側壁２１ｂ４（図５の（ａ）参照）は、軸線Ｘと直交する方向（装置本体２１の幅方向）に配設されている。
【００２１】
図６に戻って、装置本体２１の上壁２１ａには、複数の発光素子２５が設けられている。
この複数の発光素子２５は、互いに間隔をあけて配置された２つの第１の発光素子２６、２６と、この第１の発光素子２６、２６の間に配置された第２の発光素子２７と、第３の発光素子２８とから構成されている。
【００２２】
これら第１の発光素子２６、２６、第２の発光素子２７、第３の発光素子２８の各々の光軸は、スイング練習具１のグリップ４０を把持してゴルフスイングのアドレス姿勢を取ったプレイヤー（使用者）の頭部を指向するように設けられており、アドレス姿勢を取ったプレイヤーから見て、当該プレイヤーの正面側にウェイト３０が位置するときに、プレイヤーが第１の発光素子２６、２６、第２の発光素子２７、第３の発光素子２８の各々を視認可能となっている。
【００２３】
図３の（ａ）に示すように、第１の発光素子２６、２６は、クラブヘッドを想定した場合の仮想のフェース面（図３の（ａ）におけるフェース壁２４２）を示す仮想線Ｋ１に沿って互いに間隔をあけて設けられている。
ここで、仮想のフェース面とは、シャフト１０の先端にクラブヘッドがあると想定した場合に、想定されたクラブヘッドのフェース面（図３の（ａ）におけるフェース壁２４２）を意味している。
また、仮想線Ｋ１は、仮想フェース面を示す位置に設けられていると共に、軸線Ｘに平行な線分である。
【００２４】
実施の形態では、第１の発光素子２６、２６は、クリア（白色）の発光色を有するＬＥＤ（Ｌｉｇｈｔ  Ｅｍｉｔｔｉｎｇ  Ｄｉｏｄｅ）が採用されている。
【００２５】
図３の（ａ）に示すように、第２の発光素子２７は、第１の発光素子２６、２６と同じ仮想線Ｋ１上であって、互いに間隔をあけて配置された第１の発光素子２６，２６の中間位置に設けられている。
実施の形態では、第２の発光素子２７は、第１の発光素子２６、２６の発光色（クリア）と異なる緑色の発光色を有するＬＥＤが採用されている。
【００２６】
図６に示すように、第３の発光素子２８は、第２の発光素子２７から軸線Ｘと直交する装置本体２１の幅方向に離れた位置に設けられている。
実施の形態では、第３の発光素子２８は、第１の発光素子２６、２６と第２の発光素子２７の発光色と異なる赤色の発光色を有するＬＥＤが採用されている。
【００２７】
これら第１の発光素子２６、２６、第２の発光素子２７、第３の発光素子２８は、それぞれ側壁２１ｂ３に設けられたスイッチ２９に接続されている。
このスイッチ２９のＯＮ／ＯＦＦにより、装置本体２１内に配設された電池１１０（図４の（ｂ）参照）から各発光素子に電力が供給されるようになっている。
【００２８】
ここで、図４の（ｂ）に示すように、スイング確認装置２０の装置本体２１には、当該装置本体２１から電池１１０を取り出すための電池取出し機構２００が設けられている。
この電池取出し機構２００は、蓋部材２０１の一端が、装置本体２１に対してネジ９３で回動可能に支持された構造となっており、蓋部材２０１は、ネジ９３を中心軸に回動可能となっている。
【００２９】
そのため、電池取出し機構２００では、蓋部材２０１を回動させることで、装置本体２１内の電池１１０が配設された領域が開口されるようになっており、プレイヤーは、この開口２０２から電池１１０を挿抜できるようになっている。
【００３０】
図６に示すように、装置本体２１には、軸線Ｘと直交する装置本体２１の幅方向から、第１フレーム２２と、第２フレーム２３とが組み付けられる。
【００３１】
第１フレーム２２は、金属製の板状部材を折り曲げて形成されており、側壁２２１と、この側壁２２１から装置本体２１と反対側に９０°折り曲げられた底壁２２２とを有している。
側壁２２１には、この側壁２２１を厚み方向に貫通した窓孔２２３が形成されている。
【００３２】
図５の（ｂ）に示すように、窓孔２２３は、装置本体２１を挿通可能な大きさに形成された角孔２２３ａと、装置本体２１に配置された第１の発光素子２６、２６と第２の発光素子２７との干渉を回避するための逃がし孔２２３ｂとを有しており、この逃がし孔２２３ｂと角孔２２３ａとは連通している。
角孔２２３ａの軸線Ｘ方向の幅Ｗ１は、装置本体２１の軸線Ｘ方向の幅Ｗ２よりも僅かに大きく設定されており、第１フレーム２２は、この角孔２２３ａを介して装置本体２１に組み付けられるようになっている。
【００３３】
図６に示すように、底壁２２２は、軸線Ｘと直交する方向の端部を側壁２２１と同方向に９０°折り曲げて形成されたストッパ部２２２ａを有している。
このストッパ部２２２ａの折り曲げ基端から側壁２２１の折り曲げ基端までの底壁２２２の幅Ｗ３は、装置本体２１の幅Ｗ４の１／２の幅に設定されている（Ｗ３＝Ｗ４×１／２）。
【００３４】
また、図６に示すように、底壁２２２の側壁２２１との境界領域には、凸片２２７が前方に突出して形成されている。凸片２２７は、前方へ向かうにしたがって軸線Ｘと直交する方向の幅が狭くなるように形成されており、凸片２２７の前方側の外周には、後述する固定バンド８５と係合可能に形成された係合凹部２２７ａが設けられている（図３の（ａ）参照）。
【００３５】
ここで、図３の（ｃ）に示すように、底壁２２２の底面２２２ｂには、ゴム足２２６が設けられている。
ゴム足２２６は、合成ゴムまたは樹脂製であり、このゴム足２２６の外周には、ウェイト３０の外径に整合する湾曲部２２６ａが設けられている。
実施の形態では、湾曲部２２６ａの曲率半径ｒは、円筒形状のウェイト３０の曲率半径と同じかそれ以上の大きさに設定されている。
【００３６】
次に、第２フレーム２３を説明する。
図６に示すように、第２フレーム２３は、第１フレーム２２と軸線Ｘを挟んで略対称となる形状に形成されているので、同一形状の部分については詳細な説明を省略し、異なる部分を中心に説明する。
【００３７】
図６に示すように、第２フレーム２３の側壁２３１には、固定壁２３５が、第１フレーム２２と反対側に９０°折り曲げて設けられている。
固定壁２３５には、この固定壁２３５を厚み方向に貫通した２つのネジ貫通孔２３５ａ、２３５ａが所定間隔を開けて形成されており、このネジ貫通孔２３５ａ、２３５ａを貫通したネジ９１、９１と、ナット９５、９５（図４の（ａ）参照）とによって仮想ヘッド部２４が固定されている。
【００３８】
図６に示すように、仮想ヘッド部２４は、金属製の板状部材を折り曲げて形成されており、ゴルフのクラブヘッドを模した形状を成している。
仮想ヘッド部２４は、図３の（ａ）に示す状態において、装置本体２１の第３の発光素子２８の上方を覆うように設けられた平坦壁２４１と、この平坦壁２４１から装置本体２１側に所定角度θ１（図３の（ｄ）参照）折り曲げて形成されたフェース壁２４２とを有している。
【００３９】
平坦壁２４１は、グリップ４０を握ったプレイヤー（使用者）がアドレス姿勢を取ったときに、プレイヤー（使用者）の頭部に向くように設けられており、アドレス姿勢を取ったプレイヤーの正面に位置するようになっている。
この状態において、平坦壁２４１は、第３の発光素子２８とプレイヤーとの間に配設されている。
【００４０】
平坦壁２４１には、この平坦壁２４１を厚み方向に貫通した矩形形状のゲージ孔２４１ａと、２つのネジ貫通孔２４１ｂ、２４１ｂとが形成されており、仮想ヘッド部２４を固定壁２３５に固定するためのネジ９１、９１が、ネジ貫通孔２４１ｂ、２４１ｂを挿通するようになっている。
【００４１】
平坦壁２４１におけるゲージ孔２４１ａの位置および大きさは、グリップ４０を握ったプレイヤーが、アドレス姿勢やトップ姿勢を取ったときに、プレイヤーがこのゲージ孔２４１ａを介して第３の発光素子２８を視認できるように設定されている。
【００４２】
フェース壁２４２は、クラブヘッドのフェース面を模した形状を成しており、平坦壁２４１に対して所定の折り曲げ角度θ１で折り曲げて形成されている（図３の（ｄ）参照）。実施の形態では、折り曲げ角度θ１は、約９９．５°〜１１０°に設定さている。
このフェース壁２４２の表面が、仮想のフェース面となっている。
【００４３】
フェース壁２４２には、装置本体２１への組付け時に、当該装置本体２１との干渉を避けるための切り欠き部２４２ａが形成されている。
【００４４】
［スイング確認装置の組み付け方法］
次に、スイング確認装置２０の組み付け方法を説明する。
図６に示すように、スイング確認装置２０は、軸線Ｘと直交する方向（左右方向）から、第１フレーム２２と、第２フレーム２３とを装置本体２１に組み付けた後、第１フレーム２２と第２フレーム２３とがリベット９２、９２で結合される。
なお、リベット９２、９２に代えて、第１フレーム２２と第２フレーム２３とをビスで結合しても良い。
【００４５】
ここで、装置本体２１に第１フレーム２２と第２フレーム２３とを組み付けると、第１フレーム２２の底壁２２２と、第２フレーム２３の底壁２３２とが、装置本体２１の開口２１ｃを塞ぐ底壁となり、これら底壁２２２と底壁２３２により装置本体２１の開口２１ｃが封止される（図５の（ａ）参照）。
【００４６】
そして、第１フレーム２２の底壁２２２の幅Ｗ３と、第２フレーム２３の底壁２３２の幅Ｗ３を合わせた幅（Ｗ３×２）は、装置本体２１の軸線Ｘと直交する方向の幅Ｗ４と等しくなるように設定されている（Ｗ３×２＝Ｗ４）。
【００４７】
そのため、図５の（ａ）に示すように、第１フレーム２２と第２フレーム２３とを装置本体２１に組み付けると、第１フレーム２２のストッパ部２２２ａと、第２フレーム２３のストッパ部２３２ａとが、装置本体２１の幅方向の側壁２１ｂ３、２１ｂ４の外周にそれぞれ当接する。
これにより、側壁２１ｂ３と側壁２１ｂ４の底壁２２２、２３２側が、互いに離れる方向（図５の（ａ）における左右方向）に変位することが阻止されるようになっている。
すなわち、装置本体２１の側壁２１ｂ３、２１ｂ４の開き方向の変形を、ストッパ部２２２ａとストッパ部２３２ａで抑えることができる。
【００４８】
さらに、第１フレーム２２の角孔２２３ａ（図５の（ｂ）参照）と第２フレーム２３の角孔２３３ａ（図５の（ｃ）参照）の軸線Ｘ方向の幅Ｗ１は、装置本体２１の軸線Ｘ方向の幅Ｗ２よりも僅かに大きい大きさに設定されている。
【００４９】
そのため、第１フレーム２２と第２フレーム２３とを装置本体２１に組み付けると、第１フレーム２２の角孔２２３ａの縁と、第２フレーム２３の角孔２３３ａの縁とが、装置本体２１の軸線Ｘ方向の側壁２１ｂ１、２１ｂ２の外周にそれぞれ当接する。
これにより、側壁２１ｂ１と側壁２１ｂ２の底壁２２２、２３２側が、互いに離れる方向（図５の（ｂ）、（ｃ）における左右方向）に変位することが阻止されるようになっている。
すなわち、装置本体２１の軸線Ｘ方向の側壁２１ｂ１、２１ｂ２の開き方向の変形を、角孔２２３ａ、２３３ａの縁で抑えることができる。
【００５０】
ここで、図６に示すように、第１フレーム２２および第２フレーム２３を装置本体２１に組み付けた状態において、第１フレーム２２の側壁２２１と、第２フレーム２３の側壁２３１とが重ね合わせられた領域に、反射板１００が設けられている。
【００５１】
図５の（ｄ）に示すように、反射板１００は、第１フレーム２２の側壁２２１の側面に取り付けられる取付部１０１と、側壁２１１に直交する向きで配置された反射部１０２と、を有している。
取付部１０１には、長穴１０１ａが、取付部１０１を厚み方向に貫通して形成されている。反射板１００は、長穴１０１ａに挿通したボルト９４とナット９６により側壁２２１、２３１の前方側に取り付けられている。
【００５２】
反射板１００は、ボルト９４とナット９６が緩められることにより、側壁２２１、２３１に対して上下方向に摺動可能となり、ボルト９４とナット９６が締め付けられることにより、側壁２２１、２３１の上下方向の任意の位置で固定されるようになっている。
【００５３】
図６に示すように、反射部１０２は、装置本体２１側（後方側）の面が、鏡面仕上げされた反射面１０２ａとなっている。この反射面１０２ａは、仮想のフェース面（図３の（ａ）に示すフェース壁２４２）と平行な仮想線Ｋ１に直交する向きに設けられている。
この状態において、反射面１０２ａは、装置本体２１における第１の発光素子２６、２６と第２の発光素子２７が並んだ仮想線Ｋ１（図３の（ａ）参照）と交差する位置に設けられており、反射面１０２ａを後方側から見ると、第１の発光素子２６，２６と第２の発光素子２７とが反射面１０２ａに映るようになっている。
【００５４】
これにより、第１の発光素子２６、２６および第２の発光素子２７が発光する光は、反射板１００の反射面１０２ａで反射される。
よって、アドレス姿勢を取ったプレイヤーから見て、当該プレイヤーの正面側にウェイト３０が位置するときに、プレイヤーが第１の発光素子２６、２６が発光する光だけでなく、この反射板１００の反射面１０２ａで反射された第１の発光素子２６、２６の光をも視認可能となっている。
【００５５】
また、プレイヤーがトップ姿勢をとったときに、プレイヤーがウェイト部３０側に視線を向けると、プレイヤーは、第２の発光素子２７が発光する光だけでなく、反射板１００の反射面１０２ａで反射した第２の発光素子２７の光も視認できるようになっている。
【００５６】
実施の形態では、第１の発光素子２６、２６は、軸線Ｘと平行な仮想線Ｋ１に沿って間隔をあけて設けられているので、プレイヤーは、この第１の発光素子２６、２６が発光する光と、反射面１０２ａで反射された第１の発光素子２６、２６の光の両方を視認することができ、合計４つの第１の発光素子２６、２６、２６，２６が、同じ仮想線Ｋ１上に間隔をあけて並んで設けられているように視認できる（図１０参照）。
【００５７】
また、実施の形態では、第２の発光素子２７もまた、軸線Ｘと平行な仮想線Ｋ１上に設けられているので、プレイヤーは、第２の発光素子２７が発光する光と、反射面１０２ａで反射した第２の発光素子２７の光の両方を視認することができ、合計２つの第２の発光素子２７、２７が同一の仮想線Ｋ１上に間隔をあけて並んで設けられているように視認できる（図１０参照）。
【００５８】
第１フレーム２２の側壁２２１と、第２フレーム２３の側壁２３１とが重ね合わせられた領域には、反射板１００の他に、仮想ヘッド部２４が取り付けられるようになっている。
仮想ヘッド部２４は、フェース壁２４２を第１フレーム２２の側壁２２１の側面に接触させた状態で、第２フレーム２３の固定壁２３５に、ネジ９１、９１とナット９２、９２で取り付けられる。
これにより、スイング確認装置２０が組み付けられる。
【００５９】
ここで、図５の（ｂ）および（ｃ）に示すように、第１フレーム２２および第２フレーム２３の各々には、フック部２２４、２３４が設けられている。
【００６０】
これらフック部２２４、２３４は、側壁２２１、２３１の後方からシャフト１０側に延出して設けられており、フック部２２４、２３４には、このフック部２２４、２３４を厚み方向に貫通する矩形穴２２４ａ、２３４ａが設けられている。
これらの矩形穴２２４ａ、２３４ａの前方側の端部は、フック部２２４、２３４の外側と連通しており、この矩形穴２２４ａ、２３４ａによりフック片２２４ｂ、２３４ｂが形成されている。
【００６１】
フック部２２４、２３４は、このフック片２２４ｂ、２３４ｂを、後述する固定プレート８０の切り欠き部８２（図２参照）に後方側から嵌合させて、スイング練習具１が組み付けられるようになっている。
【００６２】
［スイング練習具の組み付け方法］
次に、スイング練習具１の組み付け方法を説明する。
図２の（ａ）に示すように、シャフト１０（第２シャフト１２）の前方端部に、ネジ９０を用いてウェイト３０を固定したのち、シャフト１０（第１シャフト１１）の径方向から保持部材７０を嵌め込む。
【００６３】
ここで、保持部材７０は、図２の（ｂ）に示すように、合成ゴムまたは樹脂製で、円錐台形状を成している。保持部材７０には、この保持部材７０を厚み方向（図２の（ｂ）の軸線Ｘ方向）に貫通する貫通孔７１が形成されていると共に、この貫通孔７１に連通する切り欠き７４が、軸線Ｘ方向における保持部材７０の一方の面７２から他方の面７３に亘って形成されている。
【００６４】
貫通孔７１の内径は、第２シャフト１２の外径よりも大径となっており、切り欠き７４を開いて、保持部材７０を第２シャフト１２の径方向から当該第２シャフト１２に嵌め込むことで、第２シャフト１２が貫通孔７１に挿通されるようになっている。
【００６５】
ここで、保持部材７０の切り欠き７４が、軸線Ｘと平行に設けられている場合には、保持部材７０を開いて第２シャフト１２に嵌め込む際、合成ゴムなどで形成された保持部材７０が変形してしまうことがある。
その結果、切り欠き７４の切り欠き面７４ａと７４ｂとが周方向で上手く合わず、保持部材７０の組み付けが適切に行えないことがある。
【００６６】
そのため、実施の形態では、図２の（ｂ）に示すように、切り欠き７４を、軸線Ｘに対して所定角度θ２傾けて形成している。
これにより、保持部材７０を第２シャフト１２の径方向から当該第２シャフト１２に嵌め込む際、切り欠き７４の切り欠き面７４ａと７４ｂとが整合し、保持部材７０の組み付けを適切に行うことができる。
【００６７】
そして、保持部材７０をシャフト１０に組み付けたのち、固定プレート８０をシャフト１０の後方から外挿して、保持部材７０のテーパ部に外嵌させる。
【００６８】
ここで、図２に示すように、固定プレート８０は金属製の平板部材であり、実施の形態では、軸線Ｘ方向から見て三角形状を成している。固定プレート８０には、この固定プレート８０を厚み方向に貫通して形成された挿通孔８１と、挿通孔８１の直径線方向に形成された切り欠き部８２とが形成されており、切り欠き部８２は、挿通孔８１と連通している。
【００６９】
固定プレート８０の挿通孔８１の内径は、グリップ４０の最も大径となる後方端部の外径よりも大きくなるように設定されていると共に、保持部材７０の後方側の一方の面７２の外径よりも大きく、前方側の他方の面７３の外径よりも小さくなるように設定されている。
これにより、固定プレート８０をグリップ４０の後方端部から挿通すると、この固定プレート８０は、保持部材７０の一方の面７２と他方の面７３との間の外周に外嵌して、保持部材７０で支持されるようになっている。
【００７０】
また、図２の（ａ）および（ｃ）に示すように、固定プレート８０の切り欠き部８２は、スイング確認装置２０のフック部２２４、２３４の厚み方向の幅Ｈ１よりも大きな幅Ｈ２に形成されており（Ｈ２＞Ｈ１）、フック部２２４、２３４を、この切り欠き部８２に引っ掛けて、スイング確認装置２０がウェイト３０に取り付けられる。
【００７１】
図２の（ａ）および図３の（ｃ）に示すように、スイング確認装置２０は、フック部２２４、２３４を、シャフト１０側（後方側）から固定プレート８０の切り欠き部８２に引っ掛けたのち、ゴム足２２６、２３６をウェイト３０の外周面に接触させて、ウェイト３０に載置される。
【００７２】
そして、図３の（ａ）に示すように、合成ゴム製の固定バンド８５を、第１フレーム２２の凸片２２７の係合凹部２２７ａと、第２フレーム２３の凸片２３７の係合凹部２３７ａに掛け渡すと共に、ウェイト３０に巻き掛けて、スイング確認装置２０をウェイト３０（シャフト１０のヘッド側）に固定する。
【００７３】
これにより、スイング確認装置２０は、フック部２２４、２３４と固定プレート８０とが結合されることで、スイング確認装置２０の前方への移動が阻止されると共に、スイング確認装置２０は、固定バンド８５により凸片２２７、２３７とウェイト３０とが固定されることで、スイング確認装置２０の後方への移動が阻止される。
よって、スイング確認装置２０は、ウェイト３０に確実に固定される。
【００７４】
［切替機構］
ここで、図６に示すように、スイング確認装置２０内には、第１の発光素子２６、２６と第２の発光素子２７との間での点灯／消灯の切り替えを行う切替機構６０が設けられている。
図７は、切替機構６０を説明する図であり、（ａ）は、切替機構６０の軸線Ｘ方向に沿う断面斜視図であり、（ｂ）は、切替機構６０の軸線Ｘ方向から見た断面図である。
図８は、切替機構６０の切替動作を説明する図であり、（ａ）は、図７の（ｂ）におけるＡ−Ａ断面図であり、筒状の固定端子６２内における可動端子６３が第１の固定端子６５と接触している状態を示し、（ｂ）は、図７の（ｂ）におけるＡ−Ａ断面図であり、筒状の固定端子６２内における可動端子６３が第２の固定端子６６と接触している状態を示し、（ｃ）は、図７の（ｂ）におけるＢ−Ｂ断面図であり、筒状の固定端子６２内における可動端子６３が第１の固定端子６５と接触している状態を示し、（ｄ）は、図７の（ｂ）におけるＢ−Ｂ断面図であり、筒状の固定端子６２内における可動端子６３が第２の固定端子６６と接触している状態を示している。
【００７５】
図７の（ａ）に示すように、切替機構６０は、筒状部材６１と、この筒状部材６１に内設された固定端子６２と、この固定端子６２の内部で、軸線Ｘ（固定端子６２の中心軸）に沿って摺動移動可能に設けられた可動端子６３と、軸線Ｘ方向において、固定端子６２を挟んで対向配置された第１の固定端子６５と、第２の固定端子６６とを備えている。
【００７６】
筒状部材６１は、絶縁材料で形成された円筒形状の部材であり、長手方向（軸線Ｘ方向）の途中位置に、ピン６４を筒状部材６１の外部に引き出すための貫通孔６１１が、筒状部材６１を厚み方向に貫通して形成されている。この筒状部材６１の内側には、固定端子６２が固定されている。
【００７７】
図７の（ｂ）に示すように、固定端子６２は、金属製で軸線Ｘ方向から見て楕円形状を成している。この固定端子６２は、長辺の頂点部６２１、６２２の外周が筒状部材６１の内周面に接触した状態で固定されている。
【００７８】
固定端子６２の短辺の頂点部６２３、６２４のうちの一方の頂点部６２３には、金属製のピン６４の一端が接続されており、このピン６４の他端は電池１１０（電源）に接続されている。
この固定端子６２の内部には、可動端子６３が、軸線Ｘに沿って摺動移動可能に設けられている。
【００７９】
図７の（ｂ）に示すように、可動端子６３は、金属製で円柱形状を成している。
この可動端子６３は、固定端子６２の短辺側の頂点部６２３、６２４間の距離Ｌ１（内径）よりも僅かに小さく、かつ長辺側の頂点部６２１、６２２間の距離Ｌ２（内径）よりも小さい外径Ｄ１に設定されている（Ｄ１＜Ｌ１＜Ｌ２）。
そのため、可動端子６３は、当該可動端子６３の外周を、固定端子６２の内周に接触させた状態で設けられている。この状態において可動端子６３は、固定端子６２との接触状態を維持すると共に軸線Ｘ回りの回転が規制された状態で、軸線Ｘ方向に変位できるようになっている。
【００８０】
よって、可動端子６３と固定端子６２との電気的な接続を確保しつつ、可動端子６３の摺動抵抗を小さくして、固定端子６２の内部における可動端子６３の軸線Ｘ方向の摺動移動がスムーズになる。
さらに、可動端子６３の軸線Ｘ回りの回転が規制されているので、アドレス姿勢やトップ姿勢を取った際のプレイヤーの姿勢の僅かな変化や、ダウンスイング姿勢からインパクト姿勢を経てフォロースルー姿勢までの間での姿勢の変化により、固定端子６２の内周と可動端子６３の外周との接触状態が大きく変化しないようになっている。
固定端子６２の内周と可動端子６３の外周との接触状態が変化すると、点灯している発光素子（第１の発光素子２６、２６または第２の発光素子２７）が小刻みに明滅するが、接触状態が変化しないのでかかる事態の発生が好適に抑えられるようになっている。
【００８１】
図７の（ａ）に示すように、可動端子６３の軸線Ｘ方向の長さＬ３は、固定端子６２の軸線Ｘ方向の長さＬ４よりも短くなるように設定されている（Ｌ３＜Ｌ４）。
そのため、固定端子６２の内部における可動端子６３の軸線Ｘ方向の摺動移動により、可動端子６３は、固定端子６２の一端側または他端側から出没可能となっている。
【００８２】
切替機構６０では、固定端子６２の軸線Ｘ方向の一端側に第１の固定端子６５が設けられており、他端側に第２の固定端子６６が設けられている。
第１の固定端子６５は、金属材料で形成されており、固定端子６２の一端側（前方側）に設けられている。
【００８３】
第１の固定端子６５は、筒状部材６１の直径線Ｌｎに沿う向きで設けられており、この第１の固定端子６５の端部は、筒状部材６１を貫通して第１の発光素子２６、２６に接続されている。
【００８４】
第２の固定端子６６もまた、金属材料で形成されており、固定端子６２の他端側（後方側）に設けられている。軸線Ｘ方向において第２の固定端子６６と第１の固定端子６５は、固定端子６２を間に挟んで設けられている。
第２の固定端子６６は、筒状部材６１の直径線Ｌｎに沿う向きで設けられており、この第２の固定端子６６の端部は、筒状部材６１を貫通して第２の発光素子２７と接続されている。
【００８５】
ここで、スイング確認装置２０内において切替機構６０は、第１の固定端子６５が設けられた一端側と、第２の固定端子６６が設けられた他端側とを、シャフト１０の軸線Ｘ方向に向けて配置されており、第１の固定端子６５側が前方側（ウェイト３０側）、第２の固定端子６６が後方側（グリップ４０側）となるように配置されている。
【００８６】
このため、図８の（ａ）および（ｃ）に示すように、切替機構６０では、ゴルフスイングのアドレス姿勢を取ったプレイヤーから見て、当該プレイヤーの正面側にウェイト３０が位置するときに、可動端子６３は、第１の固定端子６５と接触すると共に、第２の固定端子６６から離間する。
これにより、可動端子６３および固定端子６２を介して、第１の発光素子２６、２６に接続された第１の固定端子６５と、電池１１０に接続されたピン６４とが接続されるので、第１の発光素子２６、２６に電力が供給されて点灯する。
【００８７】
また、図８の（ｂ）および（ｄ）に示すように、切替機構６０では、ゴルフスイングのトップ姿勢を取ったときに、可動端子６３が、固定端子６２内を後方側（グリップ４０側）に摺動移動して、第２の固定端子６６に接触すると共に、第１の固定端子６５から離間する。
これにより、可動端子６３および固定端子６２を介して、第２の発光素子２７に接続された第２の固定端子６６と、電池１１０に接続されたピン６４とが接続されるので、第２の発光素子２７に電力が供給されて点灯すると共に、第１の固定端子６５と電池１１０に接続されたピン６４とが非接続状態となるので、第１の発光素子２６、２６への電力供給が中止されて、第１の発光素子２６、２６が消灯する。
【００８８】
ここで、切替機構６０では、可動端子６３の軸線Ｘ方向の長さＬ３（図７の（ａ）参照）は、固定端子６２の軸線Ｘ方向の長さＬ４（図７の（ａ）参照）よりも短くなるように設定されているので、可動端子６３の一端が、固定端子６２の長さＬ４よりも長い間隔をあけて配置された第１の固定端子６５または第２の固定端子６６の何れかと接触した場合、可動端子６３の他端は、他の第２の固定端子６６または第１の固定端子６５の何れかと離間するので、可動端子６３は、必ず第１の固定端子６５または第２の固定端子６６の何れかのみと接触するようになっている。
【００８９】
なお、第３の発光素子２８は、切替機構６０の可動端子６３の位置に係らず、スイッチ２９のＯＮ操作により、電池１１０から電力が供給されて常時点灯する。
【００９０】
［グリップ位置確認装置］
次に、グリップ位置確認装置５０（第２のスイング確認装置）を説明する。
図９は、グリップ位置確認装置５０を説明する図であり、（ａ）は、グリップ位置確認装置５０の右側面図であり、（ｂ）は、グリップ位置確認装置５０の平面図であり、（ｃ）は、グリップ位置確認装置５０の正面図であって、（ａ）におけるＡ−Ａ矢視図に相当する図であり、（ｄ）は、蓋部材３００の開閉を説明する図である。
なお、図９の（ａ）では、本体部５１における側壁５３３の一部を切り欠いて示している。
【００９１】
図９の（ａ）に示すように、このグリップ位置確認装置５０は、グリップ４０の後方端部に取り付けられて、ゴルフスイングの過程におけるシャフト１０の向きの確認や、アプローチショットの練習時における手首の曲がりの有無の確認のために使用される。
【００９２】
グリップ位置確認装置５０は、金属製の本体部５１と、接続ピン５８とを有している。
グリップ位置確認装置５０では、この接続ピン５８が、グリップ４０の貫通孔４２１に差し込まれるようになっており、グリップ位置確認装置５０とグリップ４０とが一体に接続される。
【００９３】
図９の（ｂ）に示すように、本体部５１は、金属製の板状部材を折り曲げて形成されており、長方形形状を成す上壁５２と、この上壁５２の各々の辺に接続された４つの側壁５３１、５３２、５３３、５３４とを有している。
本体部５１は、この各側壁５３１、５３２、５３３、５３４を上壁５２の各辺で同一方向に９０°折り曲げて箱形状に形成されており、本体部５１の開口５１ｃ（図９の（ａ）参照）は、板状の蓋体５９で封止されている。
【００９４】
本体部５１では、グリップ位置確認装置５０をグリップ４０に取り付けた際に、プレイヤー（使用者）側となる上壁５２に、第４の発光素子５６が設けられている。
第４の発光素子５６は、グリップ位置確認装置５０をグリップ４０に取り付けた状態で、シャフト１０の中心線（軸線Ｘ：図９の（ｂ）参照）上に配置されるようになっている。
さらに、グリップ位置確認装置５０をグリップ４０に取り付けた状態で、第４の発光素子５６は、グリップ４０の後方端部よりもさらに後方に位置するように配置されている。
また、この第４の発光素子５６の光軸は、スイング練習具１のグリップ４０を把持してゴルフスイングのアドレス姿勢を取ったプレイヤー（使用者）の頭部を指向した向きに設けられている。
【００９５】
実施の形態では、第４の発光素子５６は、第１の発光素子２６、２６と同じクリア（白色）の発光色を有するＬＥＤが採用されている。
【００９６】
この第４の発光素子５６は、本体部５１の側壁５３３に設けられたスイッチ５４を介して本体部５１内に設けられた電池１２０に接続されている。よって、第４の発光素子５６は、スイッチ５４のＯＮ操作に基づいて供給された電池１２０（図９の（ｄ）参照）の電力により常時点灯するようになっている。
【００９７】
図９の（ｄ）に示すように、本体部５１の側壁５３１には、電池１２０を本体部５１内に挿入するための開口５１１が、側壁５３１の一部を切り欠いて形成されている。
この開口５１１は、蓋部材３００の板状のカバー板部３０１で閉じられるようになっている。
【００９８】
蓋部材３００は、本体部５１の側壁５３１に接触して開口５１１を封止するカバー板部３０１と、板状の蓋体５９に接触するカバー支持部３０２と、を有している。
カバー板部３０１とカバー支持部３０２、一枚の金属板を折り曲げて形成されており、断面視においてＬ字形状を成している。
カバー支持部３０２の幅方向の一側には、カバー板部３０１と同方向に延びる支持腕３０３が設けられており、この支持腕３０３の先端部は、ネジ９７を介して、側壁５３３で回動可能に支持されている。
【００９９】
そのため、蓋部材３００を、ネジ９７の中心軸回りに回動させると、カバー板部３０１が、ネジ９７の中心軸周りの周方向に変位して、電池１２０を挿入するための開口５１１が開閉されるようになっている。
【０１００】
［発光素子の作用］
次に、ゴルフのスイング動作における第１の発光素子２６、２６の作用を説明する。
図１０は、インパクト前後での、第１の発光素子２６、２６の作用を説明する図である。
スイング確認装置２０では、第１の発光素子２６、２６の光軸は、スイング練習具１のグリップ４０を握ったプレイヤー（使用者）が、アドレス姿勢を取ったときに、当該プレイヤーの頭部を指向するように設けられている。
そのため、プレイヤーは、ゴルフスイングのインパクト前後（図１０の位置Ｐ１、Ｐ２、Ｐ３）において、当該プレイヤーの正面を通過した第１の発光素子２６、２６が発光する光を視認することができる。
【０１０１】
この際、プレイヤーは、目で追うことなく、自身の正面を通過した第１の発光素子２６、２６が発光する光の残像を捉えることができ、この第１の発光素子２６、２６の光の残像は、軌跡Ｋ２、Ｋ３としてプレイヤーに視認される。
よって、プレイヤーは、この第１の発光素子２６、２６の光の残像（軌跡Ｋ２、Ｋ３）を視認することで、ゴルフスイングにおけるインパクト姿勢の良し悪しを確認することができる。また、プレイヤーは、目で追うことなく、第１の発光素子２６、２６が発光する光を捉えることができるので、ゴルフスイングに意識を集中することができる。
【０１０２】
特に、実施の形態のスイング確認装置２０では、第１の発光素子２６、２６の前方に反射板１００が設けられており、プレイヤーは、この反射板１００の反射面１０２ａに映った第１の発光素子２６、２６の光の残像（軌跡Ｋ４、Ｋ５）も同時に捉えることができる。
【０１０３】
そのため、プレイヤーは、合計４つの第１の発光素子２６、２６、２６、２６が、仮想線Ｋ１上で互いに間隔をあけて設けられているように視認することができる。
よって、プレイヤーは、これら４つの第１の発光素子２６、２６、２６、２６の各々の軌跡Ｋ２、Ｋ３、Ｋ４、Ｋ５を同時に視認することができるので、例えば、反射板１００がない場合に、単に２つの第１の発光素子２６、２６の光の残像（軌跡Ｋ２、Ｋ３）のみを視認するよりも、発光素子の残像を視認し易くスイングを確認し易い。
【０１０４】
また、これら４つの第１の発光素子２６、２６、２６、２６は、仮想のフェース面（図１０に示すフェース壁２４２）を示す仮想線Ｋ１上で間隔をあけて１列に設けられているため、プレイヤーは、この１列に設けられた４つの第１の発光素子２６、２６、２６、２６を視認することができる。
よって、プレイヤーは、仮想線Ｋ１上に１列に設けられた４つの第１の発光素子２６、２６、２６、２６を視認することで、インパクトの際のゴルフボール（図示せず）に対する仮想のフェース面（フェース壁２４２）の位置や角度を視覚で確認することができる。
【０１０５】
［スイング練習具１の使用方法］
次にスイング練習具１の使用方法を説明する。
図１１は、スイング練習具１の使い方を説明する図であり、（ａ）は、スイング練習具１のグリップを把持したプレイヤーがアドレス姿勢を取った状態であり、（ｂ）および（ｃ）は、プレイヤーがトップ姿勢に向けて姿勢を変化させている状態であり、（ｄ）は、プレイヤーがトップ姿勢を取った状態であり、（ｅ）は、プレイヤーがダウンスイング姿勢を取った状態であり、（ｆ）は、プレイヤーがインパクト姿勢を取った状態であり、（ｇ）は、プレイヤーがフォロースルー姿勢を取った状態であり、（ｈ）は、プレイヤーがフィニッシュ姿勢を取った状態である。
【０１０６】
初めに、スイング練習具１のスイング確認装置２０のスイッチ２９（図１参照）と、グリップ位置確認装置５０のスイッチ５４（図１参照）をＯＮにする。
そして、図１１の（ａ）に示すように、スイング練習具１のグリップ４０を握ったプレイヤーがアドレス姿勢を取った場合、スイング練習具１のスイング確認装置２０では、切替機構６０が前方に傾くため、切替機構６０の可動端子６３と第１の固定端子６５とが接触し、可動端子６３と第２の固定端子６６とは離間する（図８参照）。その結果、第１の発光素子２６、２６が点灯して第２の発光素子２７は消灯する。
なお、スイング確認装置２０の第３の発光素子２８と、グリップ位置確認装置５０の第４の発光素子５６とは常時点灯している。
【０１０７】
この状態で、プレイヤーは、ゲージ孔２４１ａから見える第３の発光素子２８の位置（見え方）を視認することで、アドレス姿勢を確認することができる。
例えば、プレイヤーは、ゲージ孔２４１ａにおける第３の発光素子２８の見え方によって、アドレス姿勢を確認することができる。
具体的には、ゲージ孔２４１ａから第３の発光素子２８が見えていない場合や、見え方が普段と異なっている場合に、いつものアドレス姿勢が取れていないことを確認できる。
よって、プレイヤーは、いつものアドレス姿勢が取れていない場合に、ゲージ孔２４１ａにおける第３の発光素子２８の見え方が普段の見え方となるように、アドレス姿勢を修正することができる。また、トップ姿勢についても同様である。
【０１０８】
そして、図１１の（ｃ）に示すように、プレイヤーがトップ姿勢を取った場合に、切替機構６０では、固定端子６６側のほうが固定端子６５側よりも下方に位置することになり、可動端子６３が接触する固定端子が、第１の固定端子６５から第２の固定端子６６に切り替わることになる。
その結果、第１の発光素子２６、２６が消灯して第２の発光素子２７は点灯する。
【０１０９】
ここで、スイング練習具１では第２の発光素子２７の前方に反射板１００が設けられている。そのため、プレイヤーは、装置本体２１に設けられた第２の発光素子２７が発光する光と、反射板１００の反射面１０２ａで反射して映し出された第２の発光素子２７の光の両方を視認することができる。
よって、トップ姿勢を取ったプレイヤーは、１つの発光素子（第２の発光素子２７）が発光した光を、２つ捉えることができる。これにより第２の発光素子２７が発光した光の視認性が向上するので、トップ姿勢への到達を容易に確認できる。
【０１１０】
さらに、図１１の（ｄ）に示すように、第３の発光素子２８は常時点灯している。
そのため、トップ姿勢を取ったプレイヤーは、仮想ヘッド部２４のゲージ孔２４１ａからの第３の発光素子２８の見え方を確認することで、トップ姿勢を確認できる。
【０１１１】
次に、プレイヤーがトップ姿勢から、ダウンスイング姿勢（図１１の（ｅ）参照）、インパクト姿勢（図１１の（ｆ）参照）、フィニッシュ姿勢（図１１の（ｈ）参照）に向けて姿勢を変化させると、プレイヤーの姿勢がインパクト姿勢（図１１の（ｆ）参照）となる手前の段階で、スイング練習具１は、スイング確認装置２０が取り付けられた前方側が、後方側よりも下方に位置することになる。
そうすると、切替機構６０では、ダウンスイング姿勢の途中で、第１の固定端子６５側のほうが第2の固定端子６６側よりも下方に位置することになり、可動端子６３が接触する固定端子が、第2の固定端子６６から第１の固定端子６５に切り替わることになる。
この結果、第２の発光素子２７が消灯して第１の発光素子２６、２６が点灯する（図１１の（ｆ）参照）。
よって、プレイヤーの姿勢がインパクト姿勢（図１１の（ｆ）参照）となる時点では、第１の発光素子２６、２６が点灯した状態となる。
【０１１２】
前述したように、ゴルフスイングのインパクト（図１１の（ｆ）の姿勢）前後では、第１の発光素子２６、２６はプレイヤーの正面を通過するため、プレイヤーは、目で追うことなく、第１の発光素子２６、２６の光の残像（図１０の軌跡Ｋ２、Ｋ３）と、反射板１００で反射して映し出された第１の発光素子２６、２６の光の残像（図１０の軌跡Ｋ４、Ｋ５）を視認することができる。
【０１１３】
そのため、プレイヤーは、第１の発光素子２６、２６の残像（図１０のＫ２、Ｋ３）と、反射板１００に映し出された第１の発光素子２６、２６の残像（図１０のＫ４、Ｋ５）の合計４つの残像を視認することができるので、インパクト前後での姿勢をより容易に確認することができる。
【０１１４】
特に、合計４つの第１の発光素子２６、２６、２６、２６が１列に並んでいるので、この１列に並んだ４つの第１の発光素子２６、２６、２６、２６を視認することで、インパクト時のゴルフボール（図示せず）に対する仮想フェース面（図３の（ａ）に示すフェース壁２４２）の位置や角度を確認することができる。
【０１１５】
プレイヤーは、この第４の発光素子５６の残像（軌跡）を視認することで、ゴルフスイングにおけるグリップ位置を確認することができる。また、プレイヤーは、グリップ位置確認装置５０の第４の発光素子５６の位置を目で追うことなく捉えることができ、ゴルフスイングに意識を集中することができる。
【０１１６】
以上の通り、実施の形態では、
（１）シャフト１０の一端にウェイト３０（ウェイト部）を備え、他端にグリップ４０（グリップ部）を備えるゴルフのスイング練習具１であって、
ウェイト３０に装着されたスイング確認装置２０が、
グリップ４０を把持してゴルフスイングのアドレス姿勢を取ったプレイヤー（ユーザ）から見て、プレイヤーの正面側にウェイト３０が位置するときに点灯する第１の発光素子２６、２６と、
プレイヤーがトップ姿勢を取ったときに点灯する第２の発光素子２７と、
第１の発光素子２６、２６と第２の発光素子２７との間での点灯／消灯の切り替えを行う切替機構６０と、を有し、
第１の発光素子２６、２６は、プレイヤーから見て、ウェイト３０側に設定された仮想のフェース面（フェース壁２４２：図３の（ａ）参照）に沿う仮想線Ｋ１上に設けられており、第１の発光素子２６、２６と第２の発光素子２７の光軸は、プレイヤーの頭部を指向して、プレイヤーが、第１の発光素子２６、２６と第２の発光素子２７が照射した光を視認可能となる向きで設けられており、
切替機構６０は、プレイヤーがトップ姿勢を取ったときに、第１の発光素子２６、２６を消灯して、第２の発光素子２７を点灯させる構成とした。
【０１１７】
このように構成すると、プレイヤーが仮想のフェース面を基準方向に向けたトップ姿勢を取ったときに第２の発光素子２７が点灯する。
そして、第２の発光素子２７の光軸は、プレイヤーの頭部を指向して、プレイヤーが第２の発光素子２７が照射した光を視認可能となる向きで設けられている。
そのため、プレイヤーは、トップ姿勢への到達を視覚的に直感できる。
【０１１８】
また、トップ姿勢からゴルフスイングを行うと、ダウンスイング姿勢の途中で、第２の発光素子２７が消灯して、第１の発光素子２６、２６が点灯する。これにより、第１の発光素子２６、２６は、点灯した状態でプレイヤーの正面を通過する。この際に、第１の発光素子２６、２６がプレイヤーを指向しているので、プレイヤーの正面を通過した第１の発光素子２６、２６の残像を、プレイヤーは捉えることができる。よって、プレイヤーは、第１の発光素子２６、２６の残像に基づいて、仮想のフェース面（仮想線Ｋ１）の軌跡を確認できる。
特に、ゴルフスイングの過程での仮想のフェース面の軌跡を、プレイヤーは、第１の発光素子２６、２６が発光する光を目で追うことなく、第１の発光素子２６、２６が発光する光の残像により確認できる。
よって、プレイヤーは、ゴルフスイング操作に対する集中をおろそかにすることなく、スイングチェックを行うことができる。
【０１１９】
さらに、インパクト姿勢の際に、第１の発光素子２６、２６の残像に加えて、ゲージ孔２４１ａにおける第３の発光素子２８の見え方も確認することができる。
よって、インパクト姿勢の際の第３の発光素子２８の見え方を確認することによって、いつものインパクト姿勢が取れているか否かも確認できる。
【０１２０】
ここで、ゴルフスイングの姿勢には種々あるが、実施の形態では、アドレス姿勢、トップ姿勢、ダウンスイング姿勢、インパクト姿勢、フォロースルー姿勢、フィニッシュ姿勢を例に挙げて説明した。
ゴルフスイングは、アドレス姿勢からスタートして、相互に影響し合う複数の動作（姿勢）を段階的に経て、最終的にフィニッシュ姿勢に到達する。
そして、インパクト姿勢の際に打ち出した球が、狙った方向に正確に、かつ望んだ距離で飛ぶことが望まれており、この望んだ結果を得るために、身体能力、身体特性、そしてゴルフに向き合う環境が異なるプレイヤーは日々努力している。
【０１２１】
ゴルフスイングの際の一連の姿勢は、相互に影響しており、例えばトップ姿勢の際のグリップの位置、クラブの姿勢、プレイヤーの肩の回転角度などが変われば、クラブヘッドの移動軌跡も異なり、打ち出された球の進行方向や飛距離も異なるものとなる。
【０１２２】
そして、ゴルフスイングの過程における最適な姿勢は、プレイヤー毎に異なるため、普遍的に当てはまる最適な姿勢は少ないと考えるのが妥当である。
実施の形態に係るゴルフのスイング練習具１では、第１の発光素子２６、２６、第２の発光素子２７、第３の発光素子２８の見え方によって、いつもの姿勢が取れているか否かを確認できる。
そのため、ゴルフのスイング練習具１を使用するユーザ（プレイヤー）の各々が、いつもの姿勢における第１の発光素子２６、２６、第２の発光素子２７、第３の発光素子２８の見え方を覚えておくことで、ゴルフスイングの過程における各姿勢が、いつもの姿勢であるか否かを確認できる。
よって、身体能力、身体特性、そしてゴルフに向き合う環境が異なる様々なプレイヤーが、自身の姿勢をチェックする際に用いることができるゴルフスイングの練習具１となる。
【０１２３】
（２）また、第１の発光素子２６、２６は、仮想のフェース面（フェース壁２４２に沿う仮想線Ｋ１）に沿って複数並んでいる構成とした。
【０１２４】
このように構成すると、第１の発光素子２６、２６の並びが仮想のフェース面を示しているので、ゴルフスイングの過程でのフェース面の傾きや軌跡を、ユーザは、第１の発光素子２６、２６が発光する光を目で追うことなく複数の第１の発光素子２６、２６が発光する光の残像により確認できる。
【０１２５】
（３）また、第１の発光素子２６、２６の発光色（クリア）と、第２の発光素子２７の発光色（緑）とは、異なる色とした。
【０１２６】
このように構成すると、プレイヤーがトップ姿勢を取った際に、点灯している発光素子が第１の発光素子２６、２６から第２の発光素子２７に切り替わる。この際に、プレイヤーが視線を仮想ヘッド部２４側に向けることで、発光色が切り替わったことを目の端で捉えることができ、トップ姿勢を取ったことを、プレイヤーは視覚的に直感できる。
【０１２７】
（４）切替機構６０は、電源の接続先を、第１の発光素子２６、２６と第２の発光素子２７との間で切り替えるスイッチであり、この切替機構６０（スイッチ）は、絶縁材料からなる筒状部材６１と、筒状部材６１の内側に固定されると共に、電池１１０（電源）に接続された筒状の固定端子６２と、固定端子６２の内部で、当該固定端子６２の軸線Ｘ（中心軸線）方向に摺動移動可能に設けられていると共に、固定端子６２の一端と他端から出没可能とされた可動端子６３と、第１の発光素子２６、２６に接続されていると共に、筒状部材６１の内部で、筒状の固定端子６２の一端に対向配置された第１の固定端子６５と、第２の発光素子２７に接続されていると共に、筒状部材６１の内部で、筒状の固定端子６２の他端に対向配置された第２の固定端子６６と、を有し、スイング確認装置２０において切替機構６０は、プレイヤーがトップ姿勢を取ったときに、可動端子６３が、筒状の固定端子６２の他端から突出して筒状の固定端子６２と第２の固定端子６６とを接続する向きで設けられている構成とした。
【０１２８】
このように構成すると、簡単な構成で、第１の発光素子２６、２６を消灯して、第２の発光素子２７を点灯させることができる。
【０１２９】
（５）筒状の固定端子６２は、軸線Ｘ（中心軸線）方向から見て楕円形状を成しており、可動端子６３は、楕円形状の短辺側の頂点部６２３、６２４の距離Ｌ１（内径）よりも僅かに小さく、かつ長辺側の頂点部６２１、６２２の距離Ｌ２（内径）よりも小さい外径Ｄ１を持つ円柱形状を成している構成とした（Ｄ１＜Ｌ１＜Ｌ２）。
【０１３０】
このように構成すると、可動端子６３を、固定端子６２との接触状態を維持すると共に軸線Ｘ回りの回転が規制された状態で軸線Ｘ方向に変位させることができる。
よって、筒状の固定端子６２と円柱形状の可動端子６３との接触を保持しつつ、可動端子６３の軸線Ｘ（中心軸線）方向の移動をスムーズに行うことが可能になる。
これにより、第１の発光素子２６、２６と第２の発光素子２７の点灯／消灯の切り替えを速やかに行うことができる。
さらに、可動端子６３の軸線Ｘ回りの回転が規制されているので、アドレス姿勢やトップ姿勢を取った際のプレイヤーの姿勢の僅かな変化や、ダウンスイング姿勢からインパクト姿勢を経てフォロースルー姿勢までの間での姿勢の変化により、固定端子６２の内周と可動端子６３の外周との接触状態が大きく変化しないようになっている。
そのため、接触状態の変化に起因して、点灯している発光素子（第１の発光素子２６、２６または第２の発光素子２７）が小刻みに明滅することを好適に防止できる。
【０１３１】
（６）スイング確認装置２０は、プレイヤーの頭部を指向した第３の発光素子２８と、第３の発光素子２８をプレイヤーから遮蔽して視認不可にする仮想ヘッド部２４と、を有しており、仮想ヘッド部２４には、プレイヤーがアドレス姿勢を取ったときに、第３の発光素子２８をプレイヤーに視認可能とするゲージ孔２４１ａが設けられている構成とした。
【０１３２】
このように構成すると、プレイヤーがアドレス姿勢を取ったときに、ゲージ孔２４１ａにおける第３の発光素子２８の見え方によって、いつものアドレス姿勢が取れているか否かを、視覚的に直感できる。
また、ゴルフスイングにおけるインパクトに相当する瞬間に、第３の発光素子２８が視認できたか否かにより、ゴルフスイングにおけるインパクトに相当する瞬間での姿勢が、いつもの姿勢であるか否かを確認できる。
【０１３３】
（７）ゲージ孔２４１ａは、プレイヤーがトップ姿勢を取った際も、プレイヤーが視線を仮想ヘッド部２４側に向けることで、第３の発光素子２８を視認可能とするように設けられている構成とした。
【０１３４】
このように構成すると、プレイヤーがトップ姿勢を取ったときに、ゲージ孔２４１ａにおける第３の発光素子２８の見え方によって、いつものトップ姿勢が取れているか否かを、視覚的に直感できる。
【０１３５】
（８）反射面１０２ａを有する反射板１００を、さらに備え、
反射板１００は、反射面１０２ａを、仮想のフェース面に沿う方向と直交する向きであって、第１の発光素子２６、２６、第２の発光素子２７から出射された光を、プレイヤー（ユーザ）を指向する方向に反射可能な位置に設けられている構成とした。
【０１３６】
このように構成すると、アドレス姿勢を取ったプレイヤーの正面に、プレイヤーに反射面１０２ａを向けた反射板１００が位置している。
そのため、第１の発光素子２６、２６が点灯している場合、プレイヤーは、第１の発光素子２６、２６が発行する光と、反射板１００の反射面１０２ａで反射して映し出された第１の発光素子２６、２６の光の両方を視認することができる。
よって、プレイヤーがトップ姿勢から、ダウンスイング姿勢と、インパクト姿勢とを経て、フォロースルー姿勢に姿勢を変化させる過程において、インパクト姿勢の前後でプレイヤーが捉えることができる光の軌跡の総数を増やすことができる。
これにより、インパクトの瞬間での仮想のフェース面（フェース壁２４２）の向きや、フェース面の移動軌跡を、視覚的により容易に確認することができる。
【０１３７】
（９）プレイヤーを指向した第４の発光素子５６を備えるグリップ位置確認装置５０（他のスイング確認装置）が、グリップ４０に設けられており、
グリップ１０に設けられたグリップ位置確認装置５０では、第４の発光素子５６が、シャフト１０の中心線（軸線Ｘ）上に位置している構成とした。
【０１３８】
このように構成すると、ゴルフスイングの過程でのシャフト１０の他端（グリップ４０）の移動軌跡も視覚的に直感できる。
これにより、ゴルフスイングの過程におけるシャフト１０の向きや、アプローチショットの練習時における手首の曲がりの有無を確認できる。
【０１３９】
なお、前記した実施の形態では、第１の発光素子２６、２６はクリア（白色）のＬＥＤ、第２の発光素子２７は緑色のＬＥＤ、第３の発光素子２８は赤色のＬＥＤを適用した場合を例示したが、各発光素子の発光色はこれに限らない。
発光素子２６、２７、２８の発光色は、各発光素子２６、２７、２８の各々を視覚的に区別できるようにするために、異なる発光色であることが好ましいが、同じ発光色であっても良い。前記した実施の形態の効果が奏されるからである。
【０１４０】
また、前記した実施の形態では、第４の発光素子５６はクリア（白色）のＬＥＤを適用した場合を例示したが、第４の発光素子５６の発光色はこれに限らない。例えば、第４の発光素子５６は、緑色や赤色、青色のＬＥＤを適用しても良い。
【０１４１】
本発明は上記した実施形態に限定されるものではなく、その技術的思想の範囲内でなしうるさまざまな変更、改良が含まれる。
【符号の説明】
【０１４２】
１      スイング練習具
１０      シャフト
１１      第１シャフト
１２      第２シャフト
２０      スイング確認装置
２１      装置本体
２２      第１フレーム
２３      第２フレーム
２４      仮想ヘッド部（遮蔽板）
２４１      平坦壁
２４１ａ      ゲージ孔（窓孔）
２４２      仮想のフェース面
２５      発光素子
２６      第１の発光素子
２７      第２の発光素子
２８      第３の発光素子
３０      ウェイト
４０      グリップ
５０      グリップ位置確認装置
５６      第４の発光素子
６０      切替機構
７０      保持部材
８０      固定プレート
９０      ネジ
１００      反射板
１０２ａ      反射面
１１０、１２０      電池
２００、３００      電池取出し機構
【図１】
2018114032.tif 000003
【図２】
2018114032.tif 000004
【図３】
2018114032.tif 000005
【図４】
2018114032.tif 000006
【図５】
2018114032.tif 000007
【図６】
2018114032.tif 000008
【図７】
2018114032.tif 000009
【図８】
2018114032.tif 000010
【図９】
2018114032.tif 000011
【図１０】
2018114032.tif 000012
【図１１】
2018114032.tif 000013